(57)【特許請求の範囲】
【請求項１】
空気を加熱加湿する加湿部と、前記加湿部へ空気を供給し前記加湿部通過後の加熱加湿空気を浴室へ吹き出す送風手段と、前記加湿部へ温水を循環供給する水循環回路と、水または温水を蓄える貯水部と、前記水循環回路内部の温水を循環させる温水循環手段と、外部の熱源から供給される熱と前記水循環回路内部の温水との間で熱交換を行い前記水循環回路内部の温水を加熱する熱交換器を備え、前記水循環回路は前記貯水部に蓄えられた水または温水が前記温水循環手段により前記熱交換器を介して前記加湿部を通過し再び前記貯水部に戻る回路により構成され、前記貯水部に水または温水を給水する給水回路を備え、前記給水回路は開閉により給水の開始と停止を行う給水開閉手段と前記給水開閉手段が開いていているときに水を浄化し前記貯水部に給水する給水フィルターと前記給水開閉手段からの給水量を検知する給水フィルター目詰まり検知手段を備えたことを特徴とするサウナ装置。
【請求項２】
給水開閉手段が開に動作した後一定時間後貯水部に水または温水が一定量溜まらなかった場合に表示部に給水異常の信号を発信する給水フィルター目詰まり検知手段としての給水異常検知手段を備えたことを特徴とする請求項１記載のサウナ装置。
【発明の詳細な説明】
【技術分野】
【０００１】
本発明は、浴室やシャワー室等に使用されるサウナ装置に関する。
【背景技術】
【０００２】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にする水破砕方式のサウナがある。近年、浴室やシャワー室等に設置し、浴室やシャワー室そのものをサウナルームとして使用可能とするサウナ装置が注目されており、水破砕方式のものが種々提案されている。
【０００３】
従来、この種のサウナ装置は、水破砕式のミストを噴出するものが知られている（例えば、特許文献１参照）。
【０００４】
以下、そのサウナ装置について図１０および図１１を参照しながら説明する。
【０００５】
図１０に示すように、浴室空調装置は、ミスト対象室としての浴室１０１に設置され、循環ファン１０２や可動ルーバー１０３を備えた装置本対部１０４、その装置本体部１０４に支持される温水噴射手段としてのミスト噴出部１０５、循環ファン１０２およびミスト噴出部１０５を制御する制御手段としての制御回路（図示せず）などから構成されている。
【０００６】
前記装置本体部１０４は図１１に示すように、装置本体部１０４は浴室１０１内の浴槽Ａの上部に相当する箇所に設置され、装置本体部１０４は、本体ケーシング１０４ａ内に。吸気口１０７を通して浴室１０１内の空気を吸引して吹出口１０８を通して空気を吹出すための循環通風路１０９、その循環通風路１０９に対して通風作用する循環ファン１０２、循環通風路１０９を通風する空気に対して加熱作用をする加熱手段として熱交換器１１０、その熱交換器１１０に熱源機Ｂからの温水の供給を断続する熱動弁１１１、吹出口１０８を通して吹出される空気の吹出し方向を変更自在な可動ルーバー１０３、浴室１０１内の空気を吸引して排気ダクト１１２を通して屋外に排気する換気ファン１１３などを備えて構成されている。
【０００７】
一方、装置本体部１０４は内部にミスト噴出部１１４を備え、ミスト噴出部１１４には複数の噴出ノズル１１５が配設され、噴出ノズル１１５に対応する位置に、ミストを噴出するための複数のミスト噴出口１１６が形成されたものであった。このミスト噴出口１１６より給湯機等の熱源機で加熱した給湯温水を噴出ノズル１１５から浴室１０１内に細分化された温水ミストで噴射するもので、このため浴室１０１内は高温高湿の空間となる。
【特許文献１】特開２００２−３３６１５５号公報
【発明の開示】
【発明が解決しようとする課題】
【０００８】
このような従来のサウナ装置では、噴射ノズルから噴射された温水はそのまま排水されるため水および熱源の使用量が多く、水の排水量および水を温水に変えるための熱の使用量にロスが多いという課題があり、環境に優しいランニングコストのかからない省エネタイプのサウナ装置とすることが要求されており、また水中菌の繁殖を抑制したサウナ装置が要求されている。
【０００９】
また、噴射ノズルが詰まると性能が低下するため定期的にメンテナンスをしなければならないが使用者にメンテナンス時期がわかり難いという課題があり、使用者にメンテナンス時期を明示することが要求されている。
【００１０】
本発明は、このような従来の課題を解決するものであり、サウナ装置から菌を吹出さず水または温水を循環利用することによりランニングコスト低減ができ、また、メンテナンス時期を使用者に知らせることができるサウナ装置を提供することを目的としている。
【課題を解決するための手段】
【００２７】
本発明のサウナ装置は上記目的を達成するために、空気を加熱加湿する加湿部と、前記加湿部へ空気を供給し前記加湿部通過後の加熱加湿空気を浴室へ吹き出す送風手段と、前記加湿部へ温水を循環供給する水循環回路と、水または温水を蓄える貯水部と、前記水循環回路内部の温水を循環させる温水循環手段と、外部の熱源から供給される熱と前記水循環回路内部の温水との間で熱交換を行い前記水循環回路内部の温水を加熱する熱交換器を備え、前記水循環回路は前記貯水部に蓄えられた水または温水が前記温水循環手段により前記熱交換器を介して前記加湿部を通過し再び前記貯水部に戻る回路により構成され、前記貯水部に水または温水を給水する給水回路を備え、前記給水回路は開閉により給水の開始と停止を行う給水開閉手段と前記給水開閉手段が開いていているときに水を浄化し前記貯水部に給水する給水フィルターと前記給水開閉手段からの給水量を検知する給水フィルター目詰まり検知手段を備えたものである。
【００２８】
これにより給水フィルターが目詰まりしサウナの運転に支障をきたした場合でも、原因を特定することができ、給水フィルターのメンテナンス時期の判断ができるサウナ装置が得られる。
【００２９】
また、本発明のサウナ装置は上記目的を達成するために、給水開閉手段が開に動作した後一定時間後貯水部に水または温水が一定量溜まらなかった場合に表示部に給水異常の信号を発信する給水フィルター目詰まり検知手段としての給水異常検知手段を備えたものである。
【００３０】
これにより給水フィルターが目詰まりし給水が行なわれずにサウナ運転に支障をきたした場合でも、原因を特定することができ、給水フィルターのメンテナンス時期が判断できるサウナ装置が得られる。
【発明の効果】
【００４３】
本発明によれば、給水フィルターのメンテナンス時期を使用者に報知することができる効果のあるサウナ装置を提供できる。
【発明を実施するための最良の形態】
【００５３】
本発明の請求項１記載の発明は、空気を加熱加湿する加湿部と、前記加湿部へ空気を供給し前記加湿部通過後の加熱加湿空気を浴室へ吹き出す送風手段と、前記加湿部へ温水を循環供給する水循環回路と、水または温水を蓄える貯水部と、前記水循環回路内部の温水を循環させる温水循環手段と、外部の熱源から供給される熱と前記水循環回路内部の温水との間で熱交換を行い前記水循環回路内部の温水を加熱する熱交換器を備え、前記水循環回路は前記貯水部に蓄えられた水または温水が前記温水循環手段により前記熱交換器を介して前記加湿部を通過し再び前記貯水部に戻る回路により構成され、前記貯水部に水または温水を給水する給水回路を備え、前記給水回路は開閉により給水の開始と停止を行う給水開閉手段と前記給水開閉手段が開いていているときに水を浄化し前記貯水部に給水する給水フィルターと前記給水開閉手段からの給水量を検知する給水フィルター目詰まり検知手段を備えたもので、給水フィルターのメンテナンス時期を使用者に報知することができる。
【００５４】
また本発明の請求項２記載の発明は、給水開閉手段が開に動作した後一定時間後貯水部に水または温水が一定量溜まらなかった場合に表示部に給水異常の信号を発信する給水フィルター目詰まり検知手段としての給水異常検知手段を備えたものであり、給水フィルターのメンテナンス時期を使用者に報知することができる。
【００５７】
以下、本発明の実施の形態について図面を参照しながら説明する。
【００５８】
（参考の形態１）
図１、図２および図３に示すように、浴室１０１は天井面上部に加湿手段１と加熱手段２を備え、浴室１０１の側面には熱源である給湯器３が設置され、加湿手段１と給湯器３は加湿用１次温水循環回路４で連結され給湯器３から８０度の温水が加湿手段１に送水され、熱交換した後加湿手段１より加湿用１次温水循環回路４を通じて給湯器３に戻り給湯器３で再び加熱され加湿手段１に送水される。一方加熱手段２と給湯器３は加熱用１次温水循環回路５で連結され給湯器３から８０度の温水が加熱手段２に送水され、熱交換した後加熱手段２より加熱用１次温水循環回路５を通じて給湯器３に戻り給湯器３で再び加熱され加熱手段５に送水される。また加湿手段１と加熱手段２は電気的に接続され、加湿手段１は浴室１０１外側壁面に取り付けた操作用リモコン６と電気的に接続され、操作用リモコン６を操作することにより加湿手段１に信号が送信され、さらに加熱手段２にも信号が送信される。加湿手段１は加湿手段外郭１ａの側面にあたる面に市水または温水を通水し供給する給水管７と加湿手段１内の水または温水を排出する排水管８が設けられた構成となっている。
【００５９】
また、空気を加熱加湿する加湿手段１は加湿部９と送風手段１０と水循環回路１１と熱交換器１２と温水循環手段１３と貯水部１４および給水手段１５から構成され、加湿部９には、温水を循環供給する水循環回路１１が接続されるとともに、送風手段１０によって加熱加湿空間である浴室やシャワー室等の空気が供給されている。水循環回路１１は、貯水部１４と、温水循環手段としてのポンプ１３と、熱交換器１２と加湿部９に連結され、貯水部１４に蓄えられた水または温水が温水循環手段１３により、熱交換器１２を介して加湿部９を通過し再び貯水部１４に戻る回路により構成されている。貯水部１４には、給水手段１５として給水回路１６が給水管７に接続されるとともに、貯水部１４内の水位を検出する一定量貯水手段として水位センサー１７が設けられている。一定量検知手段１７の一定量とは、あまり容量を多くすると水量および熱量が無駄となり、一方少なすぎると給水される頻度が高くなり供給水が冷水の場合そのたびに貯水部１４内水温が低下し、サウナ装置の性能が一時低下することとなるため、加湿量が４Ｌ／時間とした場合３〜４Ｌ程度がよい。なお参考例の給水手段はヘッド圧を有する水道管としたがヘッド圧を有する給湯器３としてもよく、またヘッド圧がない水または温水を給水する場合はポンプを備えたものとしてもよい。
【００６０】
給水回路１６には給水開閉手段１８が設けられておりさらに水浄化する給水フィルター１９が備えられている。給水手段としての給水回路１６から供給される水は給水開閉手段の１８が開いていているときに給水フィルター１９により水中に混入する不純物が除去され貯水部１４に給水されることとなる。給水される水は貯水部１４および水循環回路１１に貯水され、ある一定貯水量になると一定量貯水手段である水位センサー１７が検知し、給水開閉手段１８を閉にするように信号を送ることにより給水開閉手段１８が閉となり貯水部１４への給水は停止する。貯水部１４における貯水量が低下すると水位センサー１７が検知し給水開閉手段１８を開にするように信号を送ることにより給水開閉手段１８が開となり再び給水が開始される。なお水位センサー１７と給水開閉手段１８が一体となり構成されているボールタップを用いても同様の効果が得られる。
【００６１】
熱交換器１２には、外部の熱源としての給湯器３の暖房循環配管系である加湿用１次温水回路４が接続されている。加湿用１次温水回路４には、熱源である給湯器３で加熱された温水が循環している。熱源である給湯器３から供給された温水は熱交換器１２に常に８０℃程度の一定温度と２Ｌ／分程度の流量の温水を供給する。つまり熱交換器１２には常時同じ熱量が加湿用１次温水回路４より提供される構成となっている。熱交換器１２を通過した温水は加湿用１次温水回路４により給湯器３に戻され再び熱を帯び熱交換器１２に循環供給する。
【００６２】
一方、水循環回路１１は２次流量調節手段２０を備えており、２次流量調節手段２０は定流量弁であり常に温水循環手段であるポンプ１３から吐出された水の流量を一定に保つものである。このため水循環回路１１には常に一定の量の水または温水が流れ、熱交換器１２にも常に一定の流量の水つまり水循環回路循環水が流れることとなる。給湯器３に備えられた加湿用１次供給温度流量調整手段（図示せず）により常に外部の熱源である給湯器３からは一定の熱量を熱交換器１２は授受しているため、熱交換器１２を通過した水循環回路循環水は一定の熱量を持って加湿部９に供給されこととなり、加湿部９からは常に一定の熱量を持った加熱加湿空気が吹出されることとなる。なお、本実施例では２次流量調節手段２０を設けたが、温水循環手段であるポンプ１３が電源周波数の異なる地域で同吐出量または性能が異なることが許容され、水循環回路１１内の圧力損失とポンプ１３の性能がチューニングされている場合は省略してもかまわない。
【００６３】
貯水部１４の下部には貯水した水を排水する排水開閉手段２１が設けられている。排水開閉手段２１は排水回路２２と排水閉止弁２３から構成され、排水回路２２は貯水部１４に貯水された水または温水を排水するのに十分な勾配を持ち、排水閉止弁２３が開くと貯水部１４に貯水された水または温水が排水される。排水開閉手段２１は制御回路２４と電気的に接続され、制御回路２４が排水閉止弁２３に排水弁の開閉の信号を送信する。排水閉止弁２３は通常装置の停止状態は開いており、つまり排水モードで待機する。サウナ運転開始つまり温水循環手段１３および送風手段１０の動作開始時に制御回路２４より信号が送られ排水閉止弁２３は閉じた状態となり排水開閉手段２１は給水モードとなる。
【００６４】
また貯水部１４上部には水位センサーである溢水検知手段２５を備えている。貯水部１７給水する給水手段１８の故障、一定量貯水手段８の故障により給水が止まらない場合、または熱交換器１５内部で１次温水２２が漏洩し水循環回路１４内に侵入した場合に貯水部１７の保有水量が一定量を超過し、溢水検知手段２５により異常を検知し、電気的に接続された制御回路２４に信号を送り、制御回路２４から給水開閉手段１８と排水開閉手段２１と温水循環手段１３と送風手段１０に信号を送り、給水開閉手段１８は給水動作を停止する動作を行い、排水開閉手段２１は排水モードである排水閉止弁２３を開く動作を行い、一方、温水循環手段１３と送風手段１０は停止する。
【００６５】
図３は、参考の形態１に係るサウナ装置における加湿部９の構成を模式化した説明図である。図３に示すように、加湿部９は水蒸気透過性を有する透湿膜２６を挟んで、膜の一方側に温水を流通させる温水経路２７、反対側に空気を流通させる空気流路２８が形成された構成となっている。
【００６６】
以上のような構成を有する、参考の形態のサウナ装置の基本的な動作は次のようなものである。
【００６７】
加湿部９に水循環回路１１内部の温水がポンプ１４によって循環され、熱交換器１２において加湿用１次温水回路４内部の温水との間で熱交換されて所定の温度まで加熱される。この時の温度は、加湿用１次温水回路４内の温水温度が８０℃程度の時に７０℃程度である。こうして加熱された水循環回路１１内部の温水は加湿部９に供給され、温水経路２７を通過する。この時、水蒸気透過性を有する透湿膜２６を水蒸気だけが透過して透湿膜２６を挟んだ反対側、すなわち空気経路２８側に拡散する。残りの温水は、加湿部９を通過しそのまま水循環回路１１を循環する。一方、吸込み空気は、送風手段１０によって加湿部９に供給され、空気流路２８を通過する。この時、温水経路２７から透過してきた水蒸気によって空気は加湿されるとともに、温水との熱交換によって加熱される。そして、この加熱加湿された空気が加熱加湿空間とする浴室やシャワー室に吹き出される。こうして浴室やシャワー室内の空気は加熱加湿され、サウナ浴に適した室内の温湿度条件、すなわち温度が４０〜５０℃程度、相対湿度が７０％以上程度に保持される。
【００６８】
参考例のサウナ装置では、加湿部９において水循環回路１１を循環する温水から水蒸気のみが透湿膜２６を介して空気に供給され、残りの温水は再び水循環回路１１を循環し、熱交換器１２で加熱後再び加湿器９に供給される。このため、残りの温水が保有するエネルギーを有効に再利用でき、効率的な加湿が可能である。その結果、温水の使用量や温水を所定の温度まで昇温するための加熱量が少なくなり、ランニングコストを抑えることが可能となる。
【００６９】
また空気中に温水を噴出するのではなく、透湿膜２６を透過した水蒸気のみを空気に供給する構成である。この為、微細水滴が浴室内に吹き出されて入浴者の体に触れることはなく、体感上も快適なものとなる。
【００７０】
加湿手段１は操作用リモコン６と電気的に接続され、操作用リモコン６で運転を指示することにより、給水回路１６より貯水部１４に給水され、ポンプ１３により水循環回路１１内を循環することとなる。給水された直後の市水中の菌保有数は水道法に定められた基準以下であるが、時間経過とともに循環水内の塩素成分がとび、菌の繁殖しやすい状況となる。加湿手段１は菌発生抑制手段として水滞留時間制御手段と除菌モードを備えている。以下菌発生抑制手段の一つである水滞留時間制御手段を説明する。
【００７１】
給水回路１６の給水開閉手段１８が開くことにより貯水部１４に給水されるとともに電気的に接続された制御回路２４に給水開閉手段１８が開いたことが送信される。貯水部１４内に給水された水の水位が水位センサー１７の位置まで来ると給水開閉手段１８は閉じ給水を終了する。給水された水は貯水部１４を一部とした水循環回路１１の内部を温水循環手段１３が運転することにより循環する。運転中に一部の水は加湿部９より水蒸気となり浴室１０１に放出されるため、徐々に貯水部１４内の水の水位が下がってくるが温水循環手段１３がエアがみをしない最低位置（図示せず）まで来ると再び給水開閉手段１８が開き貯水部１４に給水することとなる。一方、サウナ運転停止つまり温水循環手段１３および送風手段１０が動作停止すると水循環回路１１内には循環水が滞留する。貯水部１４は一部開放部（図示せず）を有しているため開放部より空中浮遊菌が貯水部１４内を通り水循環回路１１内に残存する残留水に浸入する。一方水滞留時間制御手段として制御回路２４は給水開閉手段１８が開いたあと一定時間後つまりは２４時間以内の水中菌が繁殖に適する水中内の残留塩素濃度が低くなる前に電気的に接続された排水閉止弁に開の信号を送り、前記信号を受け排水閉止弁２３が開き水循環回路１１内の残留水を排水開閉手段２１である排水回路２２を通じて装置外に排出する。このため水中菌の繁殖は抑えられ、加湿部９より菌の吹出しの抑制されたサウナ装置となる。
【００７２】
（参考の形態２）
図４は第２参考の形態におけるサウナ装置の加熱手段および加湿手段の内部構造図を示す。なお、参考の形態１と同一部分については、同一符号を付して詳細な説明は省略する。
【００７３】
サウナ装置停止つまりは加湿手段１と加熱手段２が停止すると水滞留時間制御として遅延排水手段３０は停止時間の積算を始める。遅延排水手段３０は一定時間経過後、遅延排水手段３０と電気的に接続された排水閉止弁２３に開の信号を送り、前記信号を受け排水閉止弁２３が開き水循環回路１１内の残留水を排水開閉手段２１である排水回路２２を通じて装置外に排水する。
【００７４】
前記一定時間後とは水中の塩素が水中菌の増殖を抑制する時間内であり、水温にもよるが一般的には常温で２４時間以内であれば水道水内部の残留塩素により菌の繁殖が抑制されるため最長でも２４時間以内であり、一方、貯水部１４に貯水されている温水は６０〜７０℃と高温のため排水開閉手段２１に現地で施工される排水管が耐熱性のものでないと排水管の亀裂等不具合が起こるため、貯水部１４に貯水された温水が５０℃以下程度となる３〜１０分程度の一定時間温水を放置した後流す必要があり、つまり一定時間とは排水の水温が低下するまでの時間から給水後２４時間以内を示す。
【００７５】
（参考の形態３）
図５は第３参考の形態のサウナ装置の加熱手段および加湿手段の内部構造図を示す。なお、参考の形態１と同一部分については、同一符号を付して詳細な説明は省略する。
【００７６】
水循環回路１１内には水温検出部２９が具備され、水温検出部２９は水循環回路１１内の水温を検出する。水温検出部２９は水滞留時間制御手段として制御回路２４と電気的に接続され、サウナ装置停止後つまり加湿手段１と加熱手段２の停止後水循環回路１１内の水の温度がある一定温度以下、例えば４５度以下となったと水温検出部２９に検知されたとき、制御回路２４は排水閉止弁２３に開の信号を送り、前記信号を受け排水閉止弁２３が開き水循環回路１１内の残留水を排水開閉手段２１である排水回路２２を通じて装置外に排水する。このことによりサウナ装置停止後早いタイミングの排水となり、水中菌の繁殖前に残留水を排水でき、排水の水温は高くないため一般仕様の排水管でも十分いに排水できることとなり、排水管施工に耐熱性の制約がなくなる。また万一排水経路より水が染み出す等してきた場合でも火傷等の被害とならない。
【００７７】
（参考の形態４）
つぎに菌発生抑制手段として除菌モードを説明する。
【００７８】
図６は第４参考の形態におけるサウナ装置の加湿手段の内部構造図を示す。また図７は熱交換器の構造図を示す。なお、参考の形態１と同一部分については、同一符号を付して詳細な説明は省略する。
【００７９】
加湿手段１は、加湿部９と送風手段１０と水循環回路１１と熱交換器１２と温水循環手段１３と貯水部１４と給水回路１６および排水開閉手段２１を備えている。加湿手段１は起動時には給水開閉手段１８が開き貯水部１４に給水を行なうと同時にタイマー機能を有した制御回路２４が時間のカウントを始める。給水された水は貯水部１４を一部とした水循環回路１１に貯水され、貯水部１４に備えられた水位センサー１７の位置まで溜まると、水位センサー１７と電気的に接続された制御回路２４は給水開閉手段２１に閉の信号を送り給水開閉手段２１は閉となり給水は止まる。一方熱交換器１２は２重管構造で内管３１は水循環回路１１の一部であり外管３２は熱源３と接続されており、外管３２は常時熱源３から８０度の温水が供給されている。通常加湿手段１は通常送風手段１０と温水循環手段１３が同時に運転することによる送風と水循環回路１１内での水循環が起こり、加湿部９での冷却能力と熱交換器１２での加熱能力が加熱−冷却能力として釣り合っている。給水が止まった後、制御回路２４より温水循環手段１３に動作指令が送信され、温水循環手段１３は運転を始める。水循環回路１１内の水は内部を循環し熱交換器１２で熱を受け取り加熱することとなるが、送風手段１０は停止しているため次第に熱源３の供給温度である８０度付近まで上昇し、水循環回路１１内の水中菌はたいがい死滅する。
【００８０】
なお、参考例では起動時に除菌モードを行なう仕様としたが、一定時間間隔で定期的に行なうとより一層効果があがる。
【００８１】
一方、残水入れ替え手段として制御回路２４の動作指示は、給水開閉手段１８の動作後一定時間例えば２４時間経過すると制御回路２４より排水開閉手段２１に信号が送信され排水開閉手段２１は開状態となり水循環回路１１内の水は排水される。水循環回路１１内の水が排水された後制御回路２４は排水開閉手段２１に信号を送ることにより排水開閉手段２１は閉の状態となる。続いて制御回路２４より給水開閉手段１８に信号を送ることにより給水開閉手段は開の状態となり貯水部１４への給水が開始される。そして水位センサー１７まで水が溜まると給水開閉手段１８は閉となり給水は停止する。つづいて制御回路２４から温水循環手段１３に動作指示が送信され温水循環手段１３は運転し、水循環回路１１内を水が一定時間として一分ほど流動する。一分経過すると温水循環手段１３は停止し、排水開閉手段２１が開き再び排水する。
【００８２】
残水入れ替え手段が終了したあと、タイマー機能を有する制御回路２４が再び時間カウントを始め、一定時間後例えば２４時間後までにサウナ装置の運転がなされていないときには制御回路２４より排水開閉手段２１に信号が送信され排水開閉手段２１は開状態となり水循環回路１１内の水は排水される。水循環回路１１内の水が排水された後制御回路２４は排水開閉手段２１に信号を送ることにより排水開閉手段２１は閉の状態となる。続いて制御回路２４より給水開閉手段１８に信号を送り給水開閉手段は開になり貯水部１４への給水が開始される。そして水位センサー１７まで水が溜まると給水開閉手段１８は閉となり給水は停止する。つづいて制御回路２４から温水循環手段１３に動作指示が送信され温水循環手段１３は運転し、水循環回路１１内を水が一定時間として一分ほど流動する。一分経過すると温水循環手段１３は停止し、排水開閉手段２１が開き再び排水する動作を周期的に例えば一日おきにおこなう定期殺菌手段を実行する。
【００８３】
なお参考例では定期殺菌手段を水の給排水による定期的な入れ替えとしたが、給水開閉手段１８を開き給水し温水循環手段１３を動作させるとき紫外線殺菌ランプを用いて殺菌する方法、または熱源となる給湯器３で８０度の温水を循環させつつ熱交換器１２で残水温度を上げ菌を死滅させ排水開閉手段２１により排水する方法とした方がより一層水中菌殺菌効果は高いものとなる。
【００８４】
（実施の形態１）
図８は本発明第１実施の形態のサウナ装置の加湿手段の内部構造図を示す。なお、参考の形態１と同一部分については、同一符号を付して詳細な説明は省略する。
【００８５】
給水回路１６には給水開閉手段１８が設けられておりさらに水浄化する給水フィルター１９が備えられている。給水手段としての給水回路１６から供給される水は給水開閉手段の１８が開いていているときに給水フィルター１９により水中に混入する不純物が除去され貯水部１４に給水されることとなる。給水される水は貯水部１４および水循環回路１１に貯水される。貯水部１４には水位センサー１７が設けられ水位センサー１７は電気的に給水フィルター目詰まり検知手段として給水異常検知手段３３と電気的に接続されており、給水異常検知手段３３は操作用リモコン６に電気的に接続されている。水循環回路１１の一部である貯水部１４は水位センサー１７の位置まで水が溜まると水位センサー１７が検知し、給水開閉手段１８を閉にするように信号を送ることにより給水開閉手段１８が閉となり貯水部１４への給水は停止するが、給水フィルター１９が詰まると給水量が減るため給水時間が長くなることとなる。給水フィルター目詰まり検知手段として給水異常検知手段３３は給水開閉手段１８が開くと時間カウントを始め、一定の時間つまり通常水が溜まり水位センサー１７の位置にくる時間の２倍以上の時間がかかっても水位センサー１７の位置まで水が溜まっていないと検知した時に表示部として操作用リモコン６に給水異常であることを表示する。このことにより給水フィルター１９の交換時期を使用者は認知できる。
【００８６】
（参考の形態５）
図９は第５参考の形態のサウナ装置における加湿手段の内部構造図を示す。なお、参考の形態１と同一部分については、同一符号を付して詳細な説明は省略する。
【００８７】
加湿手段１は、送風手段１０と水循環回路１１と熱交換器１２と温水循環手段１３と貯水部１４と給水回路１６および排水開閉手段２１を備えている。加湿手段１は浴室１０１天井面上部に設置され、浴室１０１は一部開口部（図示せず）を有しており、前記開口部を介し加湿手段１はグリル３４と連結されている。グリル３４は空気吸込口３５と加湿加熱空気吹出口３６を有しており、吸込口３５は送風手段１０の吸込み側に位置し、吹出口３６は送風手段１０の吹出し側に位置したところのグリル３４に形成されており、吸込口３５にはエアフィルター３７が装着され、浴室１０１の空気は送風手段１０が動作することによりグリル３４の吸込口３５に装着された塵や埃を捕獲するエアフィルター３７を通過し、清浄な空気で送風手段１０に導かれ、加湿部９を通過後加湿加熱空気となって吹出口３６を通り浴室１０１へ吹出される。送風手段１０はＤＣモーターを使用した送風機であり前記ＤＣモーター内部にはファンの回転数を検知するファン回転数検知手段３８が備えられ、ファン回転数検知手段３８は検知したファン回転数を電気的に接続したエアーフィルター目詰まり検知手段３９に送信し、一方エアフィルター目詰まり検知手段３９では初期のファンの回転数と送信されてきたファンの回転数の比較判定をおこなう。初期ファン回転数に対し一定回転数例えば吸込み空気の温湿度の影響により回転数が多少変化することも考慮に入れ７０％以下となった場合、エアフィルター３７の目詰まりと判断し、電気的に接続された表示部として操作用リモコン６に信号を送りエアーフィルター目詰まり異常を表示する。このことにより、使用者は風量および性能が低下していることを認知するとともに、エアフィルターのメンテナンスとしての掃除の時期を知ることができる。
【産業上の利用可能性】
【００８８】
加湿手段に水循環回路を取り付けることにより、経済的な加湿システムとなるため、空調用の加湿器に幅広く適用できる。
【図面の簡単な説明】
【００９１】
【図１】参考例１のサウナ装置の設置イメージを示す図
【図２】同サウナ装置における加熱手段および加湿手段の内部構造図
【図３】同サウナ装置における加湿部の構成を模式化した説明図
【図４】参考例２におけるサウナ装置の加熱手段および加湿手段の内部構造図
【図５】参考例３におけるサウナ装置の加熱手段および加湿手段の内部構造図
【図６】参考例４におけるサウナ装置の加湿手段の内部構造図
【図７】同熱交換器を示す図
【図８】本発明実施例１におけるサウナ装置の加湿手段の内部構造図
【図９】参考例５におけるサウナ装置の加湿手段の内部構造図
【図１０】従来のサウナ装置の設置イメージを示す図
【図１１】同サウナ装置の加湿手段および加湿手段の内部構造図
【符号の説明】
【００９２】
１  加湿手段
２  加熱手段
３  熱源
６  操作用リモコン
９  加湿部
１０  送風手段
１１  水循環回路
１２  熱交換器
１３  温水循環手段
１６  給水回路
１８  給水開閉手段
１９  給水フィルター
２１  排水開閉手段
２４  制御回路
２９  水温検出部
３０  遅延排水手段
３３  給水異常検知手段
３７  エアフィルタ−
３８  ファン回転数検出手段
３９  エアフィルター目詰まり検出手段
【図１】
0004442202.tif 000002
【図２】
0004442202.tif 000003
【図３】
0004442202.tif 000004
【図４】
0004442202.tif 000005
【図５】
0004442202.tif 000006
【図６】
0004442202.tif 000007
【図７】
0004442202.tif 000008
【図８】
0004442202.tif 000009
【図９】
0004442202.tif 000010
【図１０】
0004442202.tif 000011
【図１１】
0004442202.tif 000012